(57)【要約】【課題】ハーネスを所定の配線位置に保持し且つ保護することができると共に、メンテナンス時等におけるハーネスの着脱作業を容易に行うことが可能な弾球遊技機を提供する。【解決手段】矩形状の外枠２と、この外枠２の前側に左右方向一端側のヒンジにより開閉自在に枢支された内枠３と、この内枠３の遊技盤装着枠８に着脱自在に装着された遊技盤９とを備え、内枠３は、外枠２の前縁側に当接する矩形状の枠部４と、この枠部４の内縁側から外枠２の内面側に沿って後ろ向きに形成された嵌合部５とを備えた弾球遊技機で、嵌合部５の側部外側に、内向きに凹入する凹入部９１を上下方向に形成し、この凹入部９１にハーネスを配置すると共にそのハーネスを覆うハーネスカバー９３を開閉可能に枢着したものである。【選択図】図４
2008302108.tif 000002
【特許請求の範囲】
【請求項１】
矩形状の外枠（２）と、この外枠（２）の前側に左右方向一端側のヒンジ（１０）により開閉自在に枢支された内枠（３）と、この内枠（３）の遊技盤装着枠（８）に着脱自在に装着された遊技盤（９）とを備え、前記内枠（３）は、前記外枠（２）の前縁側に当接する矩形状の枠部（４）と、この枠部（４）の内縁側から前記外枠（２）の内面側に沿って後ろ向きに形成された嵌合部（５）とを備えた弾球遊技機において、前記嵌合部（５）の側部外側に、内向きに凹入する凹入部（９１）を上下方向に形成し、この凹入部（９１）にハーネス（９２）を配置すると共にそのハーネス（９２）を覆うハーネスカバー（９３）を開閉可能に枢着したことを特徴とする弾球遊技機。
【請求項２】
前記ハーネスカバー（９３）は、前後方向一端側の縦枢軸（１０７ａ，１０７ｂ）廻りに揺動自在に支持され、前記内枠（３）が前記外枠（２）側に閉じた状態では前記外枠（２）によって開放側への揺動が規制されるように構成されていることを特徴とする請求項１に記載の弾球遊技機。
【請求項３】
前記凹入部（９１）を前記嵌合部（５）における前記ヒンジ（１０）側の側部に設けたことを特徴とする請求項１又は２に記載の弾球遊技機。
【請求項４】
前記凹入部（９１）は後側が開放されており、前記ハーネスカバー（９３）は、前記凹入部（９１）の側方を覆う前後方向の側壁部（１０１）と、前記凹入部（９１）の後方を覆う左右方向の後壁部（１０２）とを一体に備え、前記側壁部（１０１）の前端側近傍に前記縦枢軸（１０７ａ，１０７ｂ）が設けられ、前記後壁部（１０２）の開閉端（１０２ａ）側に、前記ハーネス（９２）を該ハーネスカバー（９３）内に保持するハーネス押さえ部（１１１）を前向き突出状に設けたことを特徴とする請求項１〜３の何れかに記載の弾球遊技機。
【請求項５】
前記ハーネス押さえ部（１１１）に、前記凹入部（９１）側の被係合部（１１２）に係脱自在に係合して前記ハーネスカバー（９３）を閉状態で保持する係合爪（１１３）を設けたことを特徴とする請求項４に記載の弾球遊技機。
【請求項６】
前記遊技盤装着枠（８）は前記遊技盤（９）を前側から着脱自在に構成され、前記内枠（３）における前記遊技盤装着枠（８）の後側に前記凹入部（９１）を設けたことを特徴とする請求項１〜５の何れかに記載の弾球遊技機。
【請求項７】
前記ハーネスカバー（９３）を上下方向に複数個配置したことを特徴とする請求項１〜６の何れかに記載の弾球遊技機。
【発明の詳細な説明】
【技術分野】
【０００１】
本発明は、パチンコ機等の弾球遊技機に関するものである。
【背景技術】
【０００２】
例えばパチンコ機は、矩形状の外枠と、この外枠の前側に左右方向一端側のヒンジにより開閉自在に枢支された内枠とを備え、遊技盤や発射手段の他、スピーカやランプ等の演出手段、各種制御基板等の主要部分は全て内枠側に搭載されている。また、最近ではランプ等の演出手段が内枠側の各所に多数配置されており、また制御基板も種類毎に分割されて多数配置されていることから、内枠の裏側にはそれらを電気的に接続するハーネスが中継基板等を介して複雑に張り巡らされている。
【０００３】
各ハーネスは、内枠の各所に設けられたフック等に引っ掛けられて夫々所定位置に配線されているが、フックから外れたハーネスが内枠開閉時に内枠と外枠との間に挟まれて断線する等の不具合が発生する可能性がある。そこで、特許文献１に記載のパチンコ機では、ハーネスを覆うハーネスカバーを内枠の背面側に装着することにより、ハーネスを所定位置に拘束して挟み込みによる断線等の不具合を防止している。
【特許文献１】特開２００４−２７５５８７号公報
【発明の開示】
【発明が解決しようとする課題】
【０００４】
特許文献１に記載のパチンコ機では、ハーネスカバーを内枠に対してネジ止めにより固定的に装着しているため、例えばメンテナンス等により一部のハーネスを取り外す場合でもハーネスカバーをその都度脱着する必要があり、作業効率が悪いという問題があった。
【０００５】
本発明は、このような従来の問題点に鑑み、ハーネスを所定の配線位置に保持し且つ保護することができると共に、メンテナンス時等におけるハーネスの着脱作業を容易に行うことが可能な弾球遊技機を提供することを目的とする。
【課題を解決するための手段】
【０００６】
本発明は、矩形状の外枠２と、この外枠２の前側に左右方向一端側のヒンジ１０により開閉自在に枢支された内枠３と、この内枠３の遊技盤装着枠８に着脱自在に装着された遊技盤９とを備え、前記内枠３は、前記外枠２の前縁側に当接する矩形状の枠部４と、この枠部４の内縁側から前記外枠２の内面側に沿って後ろ向きに形成された嵌合部５とを備えた弾球遊技機において、前記嵌合部５の側部外側に、内向きに凹入する凹入部９１を上下方向に形成し、この凹入部９１にハーネス９２を配置すると共にそのハーネス９２を覆うハーネスカバー９３を開閉可能に枢着したものである。
【発明の効果】
【０００７】
本発明によれば、ハーネス９２を凹入部９１に確実に保持し且つ保護することができると共に、メンテナンス時等にはハーネスカバー９３を開放してハーネス９２の着脱作業を容易に行うことが可能である。
【発明を実施するための最良の形態】
【０００８】
以下、本発明の実施形態を図面に基づいて詳述する。図１〜図１２は本発明をパチンコ機に採用した一実施形態を例示している。図１において、１は遊技機本体で、矩形状の外枠２と、この外枠２の前側に開閉自在に枢着された内枠３とを備えている。
【０００９】
内枠３は例えば合成樹脂製で、図２，図５等に示すように、外枠２の前縁側に当接する矩形状の枠部４と、この枠部４の内縁側から外枠２の内面側に沿って後ろ向き膨出状に形成された嵌合部５とを一体に備え、この嵌合部５の内側下部に設けられた下部装着部６に発射手段７等が、嵌合部５の内側で且つ下部装着部６の上側に設けられた遊技盤装着枠８に遊技盤９が夫々配置されている。
【００１０】
枠部４は、上下一対の横枠部４ａ，４ｂと、左右一対の縦枠部４ｃ，４ｄとで構成されており、内枠３はその左右一端側、例えば左縦枠部４ｃ側に設けられた上下方向のヒンジ１０により外枠２に枢支されている。
【００１１】
また、内枠３の前側には、下部装着部６に対応する前面開閉板１１と、この前面開閉板１１の上側で遊技盤９の前側に対応するガラス扉１２とがヒンジ１０と同じ側のヒンジ１３により開閉自在に枢支されている。前面開閉板１１には、その前側に、発射手段７に供給するための遊技球を貯留する貯留皿１４、発射手段７を作動させるための発射ハンドル１５等が設けられている。
【００１２】
ガラス扉１２は、図１及び図４に示すように、遊技盤９の遊技領域９ａを透視可能なガラス窓１６の窓孔を有する例えば板金製の扉枠１７と、この扉枠１７の前側に装着された合成樹脂製の化粧カバー１８と、扉枠１７の裏側に装着されたガラスユニット１９とを備え、内枠３側に閉じたとき、扉枠１７の外縁側が上横枠部４ａ及び左右の縦枠部４ｃ，４ｄの前側に略当接すると共に、ガラスユニット１９がその内側に嵌合するようになっている。ガラスユニット１９は、前後二枚のガラス板２０と、この二枚のガラス板２０を外周で保持する合成樹脂製の保持枠２１とで構成されており、扉枠１７の裏側に着脱自在に装着されている。
【００１３】
下部装着部６は、下横枠部４ｂの上側に沿って横長状に形成されており、図２に示すようにその前側の例えば左右方向略中央に発射手段７が配置され、前面開閉板１１側の貯留皿１４からこの発射手段７に発射用の遊技球が供給されるようになっている。発射手段７は、板金製の支持板３１と、この支持板３１の前面に装着された発射レール３２と、支持板３１の前面で前後方向の駆動軸廻りに揺動自在に支持された打撃槌３３と、支持板３１の裏側に装着され且つ打撃槌３３を打撃方向に駆動するロータリソレノイド等の発射駆動手段３４等を備え、発射ハンドル１５が操作されたときに発射駆動手段３４により打撃槌３３を打撃方向（時計廻り）に間欠的に駆動することにより、貯留皿１４から発射レール３２上に供給された遊技球を発射レール３２に沿って打撃して遊技盤９側に発射させるようになっている。
【００１４】
また、発射手段７の左側には、後述する払い出し手段７３から払い出された遊技球を前面開閉板１１側の貯留皿１４に排出するための払い出し口３５等が、右側には下部スピーカ３６が夫々配置されている。
【００１５】
遊技盤装着枠８は、図２，図５等に示すように、嵌合部５を構成する上嵌合部５ａに設けられる上支持枠４１、下部装着部６の上縁側に設けられる下支持枠４２、嵌合部５を構成する左嵌合部５ｃに設けられる左支持枠４３、嵌合部５を構成する右嵌合部５ｄに設けられる右支持枠４４により、前側が遊技盤着脱可能に開放された矩形状に形成されている。
【００１６】
上下左右の支持枠４１〜４４は、夫々上横枠部４ａ，下部装着部６、左縦枠部４ｃ、右縦枠部４ｄの内周側から後ろ向きに延設された装着枠周壁部４１ａ〜４４ａと、この装着枠周壁部４１ａ〜４４ａの後端側から遊技盤９の背面に沿って内向きに延設された装着枠後壁部４１ｂ〜４４ｂとを夫々備えている。
【００１７】
また、支持枠４１〜４４のうちの一つ、例えば左支持枠４３側には、図５に示すように、例えば装着枠周壁部４３ａから遊技盤９の前面側に沿って突設される前面支持部４３ｃと、例えば装着枠後壁部４３ｂ上又はその内周側に配置され且つ遊技盤９の端部（左端部）を前側の前面支持部４３ｃ側に付勢する板ばね等よりなる付勢手段４３ｄとが設けられており、遊技盤９の左縁部をその外周面側及び前後両面側の三方から挟み込むと共に付勢手段４３ｄにより前側、即ち前面支持部４３ｃ側に押圧して支持するようになっている。
【００１８】
また、遊技盤装着枠８上又はその近傍には、遊技盤９における前面支持部４３ｃとは反対の端部側に対応して、遊技盤装着枠８に前側から装着された遊技盤９を固定する１又は複数の締結具４５が設けられている。更に、遊技盤装着枠８の内側上部には、左右一対の上部スピーカ４６が着脱自在に装着されている。
【００１９】
遊技盤９はベニヤ板等により略矩形状に形成されており、図２に示すように、その前面側には発射手段７からの遊技球を案内するガイドレール５１が設けられ、このガイドレール５１の内側の遊技領域９ａ内に、画像表示手段を備えたセンターケース５２の他、通過ゲート５３、開閉式入賞手段５４、大入賞手段５５、普通入賞手段５６等の各種遊技部品が装着されている。
【００２０】
また、遊技盤９の裏面側には、図３，図４等に示すように、センターケース５２等の遊技部品を後側から覆う裏カバー５７が装着され、この裏カバー５７の背面側に主制御基板５８ａが格納された主基板ケース５８、演出制御基板５９ａが格納された演出基板ケース５９、液晶制御基板６０ａが格納された液晶基板ケース６０等が着脱自在に装着されている。
【００２１】
また、嵌合部５の後部側で遊技盤装着枠８の後側には、遊技盤９の後部側を略覆う後部ケース６１が一体に設けられている。後部ケース６１は、遊技盤装着枠８の装着枠後壁部４１ｂ〜４４ｂの内縁側から遊技盤９側の裏カバー５７の外周面に沿って後ろ向きに延設された後部ケース周壁部６２と、裏カバー５７の背面に沿って配置される後部ケース後壁部６３とで構成されている。後部ケース後壁部６３には、その略中央に遊技盤９の裏側の基板ケース５８〜６０等が嵌合する開口部６４が設けられると共に、この開口部６４を後側から開閉可能に覆う開閉カバー６５が着脱自在に装着されている。
【００２２】
嵌合部５の後側には、図３等に示すように、開口部６４の上側に遊技球タンク７１とタンクレール７２とが装着され、開口部６４の左右一側、例えばヒンジ１０側には、後部ケース後壁部６３の背面側に払い出し手段７３と払い出し通路７４とが装着されており、遊技球が大入賞手段５５等の入賞口に入賞したとき、又は図外の自動球貸し機から球貸し指令があったときに、遊技球タンク７１内の遊技球をタンクレール７２を経て払い出し手段７３により払い出し、その遊技球を払い出し通路７４、払い出し口３５を経て貯留皿１４に案内するようになっている。
【００２３】
また、開口部６４の後側には、その左右方向一側、例えばヒンジ１０と反対側に、１又は複数のコネクタ７５が前向きに配置されたコネクタケース７６が装着されており、遊技盤９が遊技盤装着枠８に前側から装着されたとき、遊技盤９の裏側に後ろ向きに設けられた遊技盤側コネクタ（図示省略）がこのコネクタ７５に接続されるようになっている。
【００２４】
また、後部ケース６１の下側で且つ下部装着部６の背面側には、基板装着台８１が着脱自在に装着されており、この基板装着台８１の背面側に、例えば電源基板８２ａが格納された電源基板ケース８２と、払い出し制御基板８３ａが格納された払い出し基板ケース８３とが着脱自在に装着されている。
【００２５】
嵌合部５のヒンジ１０側の側面、即ち左嵌合部５ｃの外面側には、図４，図６等に示すように、内向き、即ち右向きに凹入する凹入部９１が上下方向に形成されており、この凹入部９１内にハーネス９２が上下方向に配置されている。凹入部９１は、遊技盤装着枠８の左支持枠４３の後側で且つ後部ケース６１の外側に対応して設けられ、側方（左側）だけでなく後側も開放されており、装着枠後壁部４３ｂの背面が凹入部前面９１ａを、後部ケース周壁部６２の外面が凹入部側面９１ｂを夫々構成している。
【００２６】
凹入部９１には、ハーネス９２を覆うハーネスカバー９３が上下方向に複数、例えば三つ互いに近接して配置され、夫々開閉可能に枢支されている。ハーネスカバー９３は例えば合成樹脂製で、図７〜図１２等に示すように、凹入部９１の側方を覆う側壁部１０１と、凹入部９１の後方を覆う後壁部１０２とで断面略Ｌ字型に形成されており、その上端側及び下端側にハーネス９２を上下に挿通させるハーネス挿通部１０３が形成されている。
【００２７】
なお、ハーネスカバー９３の上下両端部には、側壁部１０１及び後壁部１０２の縁部から凹入部９１の内側に向けて夫々略水平に延設された所定幅の延設部１０４が一体に設けられており、この延設部１０４の内側の切欠部分がハーネス挿通部１０３となっている。
【００２８】
また、ハーネスカバー９３の上下両端側には、上下方向のヒンジ孔１０５ａ，１０５ｂが、側壁部１０１の前端側近傍に設けられている。ヒンジ孔１０５ａ，１０５ｂは、例えば延設部１０４の前端側から更に前向きに延設された突設部１０６上に形成されている。ハーネスカバー９３は、凹入部９１側に設けられた上下方向のヒンジ軸（縦枢軸）１０７ａ，１０７ｂをこれらヒンジ孔１０５ａ，１０５ｂに夫々挿通させることにより、凹入部９１の側方、即ち左側に開閉可能な状態で枢支されている。
【００２９】
ヒンジ軸１０７ａ，１０７ｂは、凹入部前面９１ａから後ろ向きに突設された軸支持部１０８上に一体に設けられている。軸支持部１０８は、各ハーネスカバー９３の上下両端側に対応する位置に配置されており、上ヒンジ孔１０５ａに対応する上ヒンジ軸１０７ａは上側の軸支持部１０８から下向きに、下ヒンジ孔１０５ｂに対応する下ヒンジ軸１０７ｂは下側の軸支持部１０８から上向きに、夫々突設されている。
【００３０】
ハーネスカバー９３を装着する際には、上下の突設部１０６を互いに近づける方向に弾性変形させつつヒンジ孔１０５ａ，１０５ｂをヒンジ軸１０７ａ，１０７ｂに内側から嵌合させればよい。これにより、ハーネスカバー９３は、ヒンジ軸１０７ａ，１０７ｂにより上下軸廻りに軸支されると共に、上下の軸支持部１０８に挟まれて上下方向に支持される。
【００３１】
なお、互いに隣接する二つのハーネスカバー９３間に配置される軸支持部１０８には、上側のハーネスカバー９３に対応する下ヒンジ軸１０７ｂと、下側のハーネスカバー９３に対応する上ヒンジ軸１０７ａとが共に設けられている。
【００３２】
また、ハーネスカバー９３には、後壁部１０２の開閉端１０２ａ側に、ハーネスカバー９３を閉状態に保持するための係合片１１１が、例えば凹入部側面９１ｂに沿って前向き、即ち凹入部前面９１ａ側に突設されている。係合片１１１は、ハーネス９２をハーネスカバー９３内に保持するハーネス押さえ部としても機能するもので、その先端部外側には、凹入部側面９１ｂ側に設けられた例えば突起状の被係合部１１２に対してその前側に係脱自在に係合する係合爪１１３が形成されている。
【００３３】
なお、係合片１１１は、被係合部１１２の突出高さ分だけ開閉端１０２ａよりも側壁部１０１寄りの位置に設けられている。また、後壁部１０２には、係合片１１１が係脱方向に弾性変形し易いように、係合片１１１の上下両側に、開閉端１０２ａ側から側壁部１０１側に向けて一対のスリット部１１４が形成され、また係合片１１１の後側に対応して外向き、即ち後ろ向きに係脱操作用の突起部１１５が一体形成されている。
【００３４】
更に、後壁部１０２の開閉端１０２ａ側には、ハーネス９２の一部を外側に引き出すための切欠部１１６が一又は複数設けられている。
【００３５】
ハーネス９２を凹入部９１内に配置する際には、全てのハーネスカバー９３を開いた状態（図１２）で、ハーネス９２を凹入部９１に沿わせ、更にハーネスカバー９３の係合片１１１に引っ掛けるように各ハーネスカバー９３の内側に収容し、ハーネスカバー９３を閉じればよい（図１１）。ハーネスカバー９３は、係合片１１１の係合爪１１３が凹入部側面９１ｂ側の被係合部１１２の前側に係合することにより閉状態で保持されるが、ハーネス９２は係合片１１１によりハーネスカバー９３内に抱き込まれた状態となっているため、ハーネスカバー９３を閉じる際に係合片１１１と凹入部側面９１ｂとの間にハーネス９２が挟み込まれる虞は少ない。
【００３６】
また、ハーネスカバー９３は、図１１に示すように閉状態のときに側壁部１０１がその前側の装着枠周壁部４３ａと略面一となり、内枠３を閉じた状態では側壁部１０１の外面側が装着枠周壁部４３ａと共に外枠２の内面側に近接又は当接するようになっている。これにより、ハーネスカバー９３は、内枠３を閉じた状態では外枠２によって開放側への揺動が規制され、開放されることはないため、ハーネス９２を凹入部９１に沿って確実に保持できる。
【００３７】
以上説明したように、本実施形態のパチンコ機では、内枠３の嵌合部５の側部外側に、内向きに凹入する凹入部９１を上下方向に形成し、この凹入部９１にハーネス９２を配置すると共にそのハーネス９２を覆うハーネスカバー９３を開閉可能に枢着しているため、ハーネス９２を凹入部９１に確実に保持し且つ保護することができると共に、メンテナンス時等にはハーネスカバー９３を開放してハーネス９２の着脱作業を容易に行うことが可能である。
【００３８】
ハーネスカバー９３は、前後方向一端側のヒンジ軸１０７ａ，１０７ｂ廻りに揺動自在に支持され、内枠３が外枠２側に閉じた状態では外枠２によって開放側への揺動が規制されるように構成されているため、内枠３を閉じた状態でハーネスカバー９３が不用意に開放することはなく、ハーネス９２を凹入部９１に沿って確実に保持できる。
【００３９】
更に、凹入部９１を嵌合部５におけるヒンジ１０側の側部に設けているため、ハーネスカバー９３が完全に閉じられていない状態で内枠３を閉じようとした場合でも、ハーネスカバー９３は外枠２に押されて略閉状態まで移動し、開放状態のまま放置されることはない。
【００４０】
凹入部９１は後側が開放されており、ハーネスカバー９３は、凹入部９１の側方を覆う前後方向の側壁部１０１と、凹入部９１の後方を覆う左右方向の後壁部１０２とを一体に備え、側壁部１０１の前端側近傍に縦枢軸１０７ａ，１０７ｂが設けられ、後壁部１０２の開閉端１０２ａ側に、ハーネス９２をハーネスカバー９３内に保持する係合片１１１を前向き突出状に設けているため、ハーネスカバー９３の開閉時にハーネス９２がハーネスカバー９３と凹入部９１との間に挟み込まれる虞は少ない。
【００４１】
係合片１１１に、凹入部９１側の被係合部１１２に係脱自在に係合してハーネスカバー９３を閉状態で保持する係合爪１１３を設けているため、ハーネスカバー９３を閉状態で確実に保持できる。
【００４２】
遊技盤装着枠８は遊技盤９を前側から着脱自在に構成され、内枠３における遊技盤装着枠８の後側に凹入部９１を設けているため、遊技盤装着枠８の後側のデッドスペースを有効に活用できる。
【００４３】
以上、本発明の実施形態について詳述したが、本発明はこれらの実施形態に限定されるものではなく、本発明の趣旨を逸脱しない範囲で種々の変更が可能である。例えば、ハーネスカバー９３を開閉自在に枢支する枢軸は、例えばハーネスカバー９３の後端側、即ち後壁部１０２の開閉端１０２ａ側近傍に配置してもよい。ただ、実施形態のように縦枢軸１０７ａ，１０７ｂをハーネスカバー９３の前端側に配置した場合、内枠開閉時における内枠３と外枠２とのヒンジ１０に対する相対揺動方向と、内枠３とハーネスカバー９３との縦枢軸１０７ａ，１０７ｂに対する相対揺動方向とが同じになるため、ハーネスカバー９３が完全に閉じられていない状態で内枠３が閉じられようとした場合でも、図１２に想像線で示すようにハーネスカバー９３が外枠２により無理なく閉鎖方向に押され、破損する虞が少ないという利点がある。
【００４４】
また、凹入部９１及びハーネスカバー９３は内枠３の開閉端側に設けてもよいが、この場合には、ハーネスカバー９３が完全に閉じられていない状態で内枠３が閉じられようとした場合、ハーネスカバー９３が外枠２の前面側に衝突して破損する可能性がある。
【００４５】
ハーネスカバー９３の内枠３側への枢支機構は任意であり、例えばハーネスカバー９３側にヒンジ軸を、内枠３側にヒンジ孔を設けてもよい。またハーネスカバー９３側の係合片１１１が係合する被係合部１１２として例えば凹入部側面９１ｂ側に開口部を設けてもよい。
【００４６】
また本発明は、パチンコ機に限らず、アレンジボール機、雀球遊技機等の各種の弾球遊技機においても同様に実施することが可能である。
【図面の簡単な説明】
【００４７】
【図１】本発明の一実施形態を示すパチンコ機の全体斜視図である。
【図２】本発明の一実施形態を示すパチンコ機のガラス扉及び前面開閉板を取り外した状態での正面図である。
【図３】本発明の一実施形態を示すパチンコ機の背面図である。
【図４】本発明の一実施形態を示すパチンコ機の平面断面図である。
【図５】本発明の一実施形態を示すパチンコ機の内枠単体の斜視図である。
【図６】本発明の一実施形態を示すパチンコ機の内枠の要部斜視図である。
【図７】本発明の一実施形態を示すパチンコ機のハーネスカバーの斜視図である。
【図８】本発明の一実施形態を示すパチンコ機の要部背面図である。
【図９】本発明の一実施形態を示すパチンコ機の内枠の要部拡大側面図である。
【図１０】本発明の一実施形態を示すパチンコ機の要部側面断面図である。
【図１１】本発明の一実施形態を示すパチンコ機の要部平面断面図である。
【図１２】本発明の一実施形態を示すパチンコ機の内枠及びハーネスカバーを共に開いた状態の説明図である。
【符号の説明】
【００４８】
２    外枠
３    内枠
４    枠部
５    嵌合部
８    遊技盤装着枠
９    遊技盤
１０    ヒンジ
９１    凹入部
９２    ハーネス
９３    ハーネスカバー
１０１    側壁部
１０２    後壁部
１０２ａ  開閉端
１０７ａ  縦枢軸
１０７ｂ  縦枢軸
１１１    係合片（ハーネス押さえ部）
１１２    被係合部
１１３    係合爪
【図１】
2008302108.tif 000003
【図２】
2008302108.tif 000004
【図３】
2008302108.tif 000005
【図４】
2008302108.tif 000006
【図５】
2008302108.tif 000007
【図６】
2008302108.tif 000008
【図７】
2008302108.tif 000009
【図８】
2008302108.tif 000010
【図９】
2008302108.tif 000011
【図１０】
2008302108.tif 000012
【図１１】
2008302108.tif 000013
【図１２】
2008302108.tif 000014